(57)【要約】【課題】  映像入力信号の画像解像度と表示装置の画像解像度とが近似している場合であっても、スケーリングによる等間隔補間の結果、パネル上の画像に等間隔に表示される縦線が視聴者にとって目立たないようにするために、入力画像のスケーリングに際し、画像局所ごとにスケーリング比率を変更する表示装置を提供すること。【解決手段】  映像入力信号の画像解像度を検出する画像解像度検出手段と、当該画像解像度検出手段により検出された画像解像度が当該表示装置の画像解像度と近似するか否かを判定する近似判定手段と、当該近似判定手段が近似すると判定したとき、スケーリングの比率を変更するスケーリング比率変更手段とを備えた表示装置を提供し、さらに、表示される画像の局所的明度又は局所的明度変化率に基づいてスケーリングの比率を変更するスケーリング比率変更手段とを備えた表示装置を提供する。【選択図】図１
2008070600.tif 000002
【特許請求の範囲】
【請求項１】
表示装置であって、映像入力信号の画像解像度を検出する画像解像度検出手段と、当該画像解像度検出手段により検出された画像解像度が当該表示装置の画像解像度と近似するか否かを判定する近似判定手段と、当該近似判定手段が近似すると判定したとき、スケーリングの比率を変更するスケーリング比率変更手段とを有する表示装置。
【請求項２】
画像の局所的明度を検出する明度検出手段を有し、当該スケーリング比率変更手段は、明度の低い局所については、明度の高い局所に比較して、スケーリングの比率が大となるように、スケーリングの比率を変更するようにした請求項１に記載の表示装置。
【請求項３】
画像の局所的明度の変化率を検出する明度変化率検出手段を有し、当該スケーリング比率変更手段は、明度変化率の低い局所については、明度変化率の高い局所に比較して、スケーリングの比率が大となるように、スケーリングの比率を変更するようにした請求項１に記載の表示装置。
【請求項４】
画像の動き量を検出する動き量検出手段を有し、当該動き量検出手段により画像の動き量が大きいと検出されたとき、当該スケーリング比率変更手段は、スケーリングの比率の変更を行なわないようにした請求項１乃至３のいずれか１に記載の表示装置。
【発明の詳細な説明】
【技術分野】
【０００１】
本発明は、表示装置に関し、特に、入力画像のスケーリングに際し、画像局所ごとにスケーリング比率を変更する表示装置に関する。
【背景技術】
【０００２】
近年、画像の表示装置としてパネルの画像解像度が一定のＬＣＤ（液晶ディスプレイ）やＰＤＰ（プラズマディスプレイパネル）などの平板表示装置が一般化してきたことに伴い、映像入力信号の画像解像度を当該平板表示装置の画像解像度に変換（以下、「スケーリング」という）するためのスケーラーを搭載した平板表示装置が広く使用されている。
【０００３】
しかしながら、従来の平板表示装置においては、スケーリングに際してフレームレートの変換、走査線数の変換、飛び越し走査から順次走査への変換、アスペクト比等の方式変換、縮小拡大、同期整合などの信号処理をそれぞれ独立に行っていたため、これらの信号処理に伴って画質が劣化するという問題点があった。
【０００４】
スケーリングに際する画質劣化の問題点を克服するために、さまざまな工夫がなされている。例えば、特許文献１では、スケーリング部が飛び越し走査の画像信号を補間処理で順次走査に変換し、始めに水平方向の拡大縮小のスケーリング処理を行い、次に垂直方向のスケーリング処理に使用するメモリを共用して拡大縮小やフレームレート変換や同期整合などの処理を行い、最後に色空間変換や逆γ処理を行い、所定のフォーマットの画像信号に変換するという一連の信号処理を行うことにより、信号処理に伴う画質劣化を回避することのできる表示装置が開示されている。
【０００５】
【特許文献１】特開２００５−１９２２３０号公報
【発明の開示】
【発明が解決しようとする課題】
【０００６】
しかしながら、このような従来の表示装置においては、スケーリング部が等間隔補間によりスケーリング処理を行っているので、映像入力信号の画像解像度と表示装置の画像解像度とが近似している場合には、当該等間隔補間処理によって増減される部分がパネルに表示される画像上で線状に目立って見えてしまうという問題が未解決のまま放置されている。
【０００７】
この問題を以下に詳細に説明する。例えば、１２８０×７６８の画像解像度を有する映像入力信号をスケーリングして、１３６６×７６８の画像解像度を有する表示装置のパネルに画像表示する場合には、表示装置の水平画素の方が映像入力信号の水平画素よりも８６（１３６６と１２８０の差）多いので、これを等間隔補間すると、１５．８８３７２ドット（１３６６／８６）ごとに１ドットの補間を行うことになる。ここで、パネル上に表示される１文字は１６ドット×１６ドットで表示されるので、１５．８８３７２ドットごとに１ドットの補間を行うと、１文字につき１ヶ所だけが当該１ドット分だけ伸びて表示されることになり、不自然な表示となってしまう。
【０００８】
ところが、上記と同じ１３６６×７６８の表示装置のパネルに、７２０×４８０の画像解像度を有する映像入力信号をスケーリングして画像表示する場合には、表示装置の水平画素の方が映像入力信号の水平画素よりも６４６（１３６６と７２０の差）多いので、これを等間隔補間すると、２．１１４５５ドット（１３６６／６４６）ごとに１ドットの補間を行うことになる。１６ドット×１６ドットで表示される１文字につき、２．１１４５５ドットごとに１ドットの補間を行うと、１文字につき約７ヶ所が伸びて表示されることになり、ほぼ全体的に平均して伸びた形で表示されるので、不自然さがそれほど感じられない。
【０００９】
以上、文字の画像表示について等間隔補間による問題点を説明したが、以下、パネルに画像を表示する際の問題点について説明を加える。１２８０×７６８の画像解像度を有する映像入力信号を、当該画像解像度と近似の１３６６×７６８の画像解像度を有する表示装置のパネルに、スケーリングして、例えば一面雪景色の明るい色調の静止画像や動きの少ない動画像を表示する場合は、文字の画像表示のときと同様、スケーリングに際する等間隔補間により、２．１１４５５ドット（１３６６／６４６）ごとに１ドットの補間が行われ、その結果、図１２の従来の表示装置のパネル１００に示すように多くの縦線２００がパネル１００上の画像に等間隔に表示されてしまう。横方向のサイズが６９８．６８ｍｍのパネルの場合は、約８．１２ｍｍごとに１本ずつの縦線２００がパネル全体に等間隔で表示されるので、視聴者にとって不自然な感じを与えてしまう。
【００１０】
この等間隔の縦線２００は、画像の明度の明るい部分の方が、明度の暗い部分よりも、はっきりと目立ち、また、画像の明度変化率の大きい部分の方が、明度変化率の小さい部分よりも、はっきりと目立ってしまう。
【００１１】
本発明は、上述の問題点に鑑みてなされたものであり、映像入力信号の画像解像度と表示装置の画像解像度とが近似している場合であっても、スケーリングによる等間隔補間の結果、パネル上の画像に等間隔に表示される縦線が視聴者にとって目立たないようにするために、入力画像のスケーリングに際し、画像局所ごとにスケーリング比率を変更することのできる表示装置を提供することを目的とする。
【課題を解決するための手段】
【００１２】
本発明による表示装置は、映像入力信号の画像解像度を検出する画像解像度検出手段と、当該画像解像度検出手段により検出された画像解像度が当該表示装置の画像解像度と近似するか否かを判定する近似判定手段と、当該近似判定手段が近似すると判定したとき、スケーリングの比率を変更するスケーリング比率変更手段とを備えるようにしたことを特徴とする。
【００１３】
さらに本発明による表示装置は、画像の局所的明度を検出する明度検出手段を有し、前記スケーリング比率変更手段は、明度の低い局所については、明度の高い局所に比較して、スケーリングの比率が大となるように、スケーリングの比率を変更するようにしたことを特徴とする。
【００１４】
さらに本発明による表示装置は、画像の局所的明度の変化率を検出する明度変化率検出手段を有し、前記スケーリング比率変更手段は、明度変化率の低い局所については、明度変化率の高い局所に比較して、スケーリングの比率が大となるように、スケーリングの比率を変更するようにしたことを特徴とする。
【００１５】
また本発明による表示装置は、画像の動き量を検出する動き量検出手段を有し、当該動き量検出手段により画像の動き量が大きいと検出されたとき、前記スケーリング比率変更手段は、スケーリングの比率の変更を行なわないようにしたことを特徴とする。
【発明の効果】
【００１６】
本発明により、映像入力信号の画像解像度と表示装置の画像解像度とが近似している場合であっても、画像局所の明度や明度変化率に応じて画像局所ごとのスケーリング比率を変更することによって、従来はスケーリング時の等間隔補正の結果、パネル上の画像に等間隔に表示されていた縦線を、視聴者にとって目立たないように表示することのできる表示装置が提供される。
【発明を実施するための最良の形態】
【００１７】
本発明による具体的な実施形態を、以下、図を参照して説明する。なお、本実施形態においては、１２８０×７６８の画像解像度を有する映像入力信号を、当該画像解像度と近似の１３６６×７６８の画像解像度を有する表示装置のパネルに、スケーリングして画像表示するという前提で、説明を行う。図１は、本発明による表示装置の一構成例における主要部を示すブロック図である。図１に示す表示装置１は、マイコン１０と、スケーリング処理部２０と、パネル３０とを備えて構成される。さらにスケーリング処理部２０は、信号フォーマット検出部２１と、明るさ検出部２２と、動き量検出部２３と、スケーリング部２４とから構成されている。
【００１８】
信号フォーマット検出部２１は、映像入力信号の画像解像度を検出し、検出された当該画像解像度をマイコン１０のメモリ（図示せず）に記憶する。明るさ検出部２２は、パネル３０の碁盤目状に分割されたブロックごとに当該映像入力信号に対応した明度を検出し、検出された当該明度をマイコン１０のメモリ（図示せず）に記憶する。動き量検出部２３は、映像入力信号に基づいて１フレーム間での差分を求めることにより画像の動き量を検出し、検出された当該画像の動き量をマイコン１０のメモリ（図示せず）に記憶する。スケーリング部２４は、マイコン１０から伝達されるスケーリング比率により、パネル３０に表示される画像のスケーリング処理を行う。
【００１９】
以下、上述のごとく構成された表示装置におけるスケーリング処理を説明する。
【００２０】
図２は、本発明の実施例において、パネル３０に表示される画像の中央部での縦線を目立たなくさせるようにしたスケーリング処理のプロセスを説明するフローチャートである。先ずステップＳ１１で、信号フォーマット検出部２１が映像入力信号の画像解像度の変化を検出する。本実施例においては、Ｓ１１の段階で電子機器の電源が投入されたものとし、選局された映像入力信号の画像解像度が１２８０×７６８だったものとして説明を進める。信号フォーマット検出部２１は、電子機器の電源投入により当該映像入力信号の画像解像度が１２８０×７６８に変化したことをマイコン１０に伝達する。マイコン１０は、当該画像解像度（１２８０×７６８）をメモリ（図示せず）に記憶する。次にステップＳ１２において、マイコン１０は、記憶された当該映像入力信号の画像解像度（１２８０×７６８）と、既にマイコンのメモリ（図示せず）に記憶されている当該表示装置の画像解像度（１３６６×７６８）とを比較して、それらが近似しているか否かを判定する。
【００２１】
判定の結果、それらが近似していないと判定された場合には（ステップＳ１２のＮＯ）、ステップＳ１１に戻る。ここではスケーリング比率変更の処理が行われないので、スケーリング部２４は所定のスケーリング比率により等間隔補間を実行する。その結果、図３に示すようにパネル３０の画像には縦線２００が等間隔に表示される。また判定の結果、それらが近似していると判定された場合には（ステップＳ１２のＹＥＳ）、ステップＳ１３でマイコン１０がスケーリング比率の変更を要すると判定し、所定のスケーリング変更比率をスケーリング部２４に伝達する。スケーリング部２４は、マイコン１０から伝達されたスケーリング変更比率に基づき、図４に示すように、パネル３０の中央部３１にはスケーリングをかけずに等倍で画像を表示し、左右の両端部３２についてはスケーリング比率を大きくして画像を表示することで、パネル３０の中央部３１では補間による縦線２００を表示させないようにすることができる。こうすることによって、例えば一面雪景色の明るい色調の静止画像や動きの少ない動画像を表示する場合でも、パネル３０の中央部３１には補間による縦線２００がまったく表示されることがなく、視聴者にとって違和感のない画像の鑑賞が可能となる。
【００２２】
なお、映像入力信号の画像解像度と、表示装置の画像解像度とが近似していると判定する基準は、表示装置の水平画素数に対する映像入力信号の水平画素数がプラス・マイナス１５％以内であればよく、プラス・マイナス１０％以内とするのが望ましい。
【００２３】
以上で、パネル３０に表示される画像の構図や色調に係わらず、パネル３０の中央部３１には補間による縦線２００を表示させないようにしたスケーリング比率の変更について説明したが、次に、本発明の実施例において、パネル３０に表示される画像の局所ごとの明度に基づいて、パネル３０の局所ごとにスケーリング比率を変更することにより、明度の高い（明るい）局所での縦線２００を目立たなくさせるようにしたスケーリング処理のプロセスを説明する。図５は、本発明の実施例において、パネル３０の画面を碁盤目状のブロック３３に分割したうえで、当該ブロック３３ごとの明度を検出し、さらに、当該検出されたブロックごとの明度に基づいてパネル３０の所定の局所ごとにスケーリング比率を変更することにより、パネル３０に表示される画像の明度の高い（明るい）局所での縦線２００を目立たなくさせるようにしたスケーリング処理のプロセスを説明するフローチャートである。図６は、パネル３０に表示される画像の分割により明度検出を説明する図であって、当該画像の全面が碁盤目状のブロック３３に分割されており、さらに当該画像が一定の横幅を有する縦方向の局所Ａ、Ｂ、Ｃ、Ｄ・・・Ｎに分割されていることを示している。
【００２４】
図５のフローチャートに示すステップＳ２１は、前述の図２のフローチャートに示すステップＳ１１と同じプロセスなので、説明は省略する。なお、選局された映像入力信号の画像解像度は、１２８０×７６８であるものとする。ステップＳ２２において、マイコン１０は、記憶された当該映像入力信号の画像解像度（１２８０×７６８）と、既にマイコンのメモリ（図示せず）に記憶されている当該表示装置の画像解像度（１３６６×７６８）とを比較して、それらが近似しているか否かを判定する。
【００２５】
判定の結果、それらが近似していないと判定された場合には（ステップＳ２２のＮＯ）、ステップＳ２１に戻り、スケーリング部２４は所定のスケーリング比率により等間隔補間を実行するので、図３に示すようにパネル３０の画像には縦線２００が等間隔に表示される。また判定の結果、それらが近似していると判定された場合には（ステップＳ２２のＹＥＳ）、ステップＳ２３でマイコン１０がスケーリング比率の変更を要すると判定し、変更要の判定がマイコン１０から明るさ検出部２２に伝達されると、明るさ検出部２２は、図６に示すように、パネル３０に表示される画像を碁盤目状に分割したブロック３３のそれぞれについて画像の明度を検出し、そのブロック３３ごとの検出結果をマイコン１０に伝達する。マイコン１０は、ブロック３３ごとに検出された画像の明度を、当該画像を縦方向に分割する局所Ａ、Ｂ、Ｃ、Ｄ・・・Ｎごとに集計して、局所Ａ、Ｂ、Ｃ、Ｄ・・・Ｎごとの局所的明度を算出する。局所的明度の算出結果に基づいて、マイコン１０は、局所的明度の低い（暗い）局所（図６のＡ、Ｂ、Ｃ）に対してスケーリング比率を所定の比率より大きくなるように変更し、局所的明度の高い（明るい）局所（図６のＤ・・・Ｎ）についてはスケーリング比率を所定の比率より小さくなるように変更する。
【００２６】
次にステップＳ２４で、マイコン１０は局所Ａ、Ｂ、Ｃ、Ｄ・・・Ｎごとに変更されたスケーリング変更比率をスケーリング部２４に伝達する。スケーリング部２４は、マイコン１０から伝達されたスケーリング変更比率に基づき、図７に示すように、パネル３０の明るい画像が表示される局所Ｄ・・・Ｎにはスケーリングをかけずに等倍で表示し、暗い画像が表示される局所Ａ、Ｂ、Ｃのスケーリング比率を所定の比率より大きくすることによって、パネル３０に表示される画像の明度の高い（明るい）局所Ｄ・・・Ｎには補間による縦線２００がまったく表示されないので、視聴者にとって違和感のない画像の鑑賞が可能となる。図７において、局所的明度の低い（暗い）順に、局所Ａ、局所Ｂ、局所Ｃとなっている場合は、スケーリング比率変更に際して、局所Ａのスケーリング比率を最も大きくなるように変更し、局所Ｂのスケーリング比率をその次に大きくなるように変更し、局所Ｃのスケーリング比率を最も小さくなるように変更することが望ましい。
【００２７】
ここまでのところでは、画像の局所的明度に基づいてスケーリング比率を変更することによって、パネル３０に表示される画像の明度の高い（明るい）局所での縦線２００を目立たなくさせるようにしたスケーリング処理のプロセスを説明した。以下、本発明の実施例において、パネル３０に表示される画像の所定の局所ごとに集計した局所的明度の変化率に基づいて、パネル３０の所定の局所ごとにスケーリング比率を変更することにより、パネル３０に表示される画像の明度変化率の高い（色調の変化が大きい）局所での縦線２００を目立たなくさせるようにしたスケーリング処理のプロセスを説明する。図８は、パネル３０の所定の局所ごとにスケーリング比率を変更することにより、パネル３０に表示される画像の明度変化率の高い（色調の変化が大きい）局所での縦線２００を目立たなくさせるようにしたスケーリング処理のプロセスを説明するフローチャートである。図９（ａ）は、パネル３０に表示される画像の分割による明度変化率の検出を説明する図であって、パネル３０に表示される画像について、その全面が碁盤目状のブロック３３に分割され、さらに一定の横幅を有する縦方向の局所Ａ、Ｂ、Ｃ、Ｄ・・・Ｎに分割されていることを示している。図９（ｂ）は、図９（ａ）においてＰで表示した部分の拡大図である。
【００２８】
図８のフローチャートに示すステップＳ３１は、前述の図２のフローチャートに示すステップＳ１１と同じプロセスなので、説明は省略する。なお、選局された映像入力信号の画像解像度は、１２８０×７６８であるものとする。ステップＳ３２において、マイコン１０は、記憶された当該映像入力信号の画像解像度（１２８０×７６８）と、既にマイコンのメモリ（図示せず）に記憶されている当該表示装置の画像解像度（１３６６×７６８）とを比較して、それらが近似しているか否かを判定する。
【００２９】
判定の結果、それらが近似していないと判定された場合には（ステップＳ３２のＮＯ）、ステップＳ３１に戻る。ここではスケーリング比率変更の処理が行われないので、スケーリング部２４は所定のスケーリング比率により等間隔補間を実行する。その結果、図３に示すようにパネル３０の画像には縦線が等間隔に表示される。また判定の結果、それらが近似していると判定された場合には（ステップＳ３２のＹＥＳ）、ステップＳ３３でマイコン１０がスケーリング比率の変更を要すると判定し、変更要の判定がマイコン１０から明るさ検出部２２に伝達されると、明るさ検出部２２は、図９（ａ）に示すパネル３０に表示される画像の碁盤目状に分割されたブロック３３のそれぞれについて画像の明度を検出し、そのブロック３３ごとの検出結果をマイコン１０に伝達する。
【００３０】
マイコン１０は、当該検出されたブロック３３ごとの明度を当該ブロック３３の左右に隣接するブロックの明度とそれぞれ比較することによって、当該ブロック３３の明度の変化率を検出する。例えば、図９（ｂ）に示すように、ブロック３３ａは白、ブロック３３ｂは黒、ブロック３３ｃは白、ブロック３３ｄは白がそれぞれ基調となっている場合、ブロック３３ｂの明度変化率は高い（色調の変化が大きい）と検出される。一方、ブロック３３ｃの明度変化率は低い（色調の変化が小さい）と検出される。この場合、マイコン１０は、例えば、ブロック３３ｂの明度変化率を１、ブロック３３ｃの明度変化率を０として認識する。さらに、マイコン１０は、このようにして認識されたブロック３３ごとの明度変化率を、パネル３０を縦方向に分割する局所Ａ、Ｂ、Ｃ、Ｄ・・・Ｎごとに集計して、局所Ａ、Ｂ、Ｃ、Ｄ・・・Ｎごとの局所的明度変化率を算出する。局所的明度変化率の算出結果に基づいて、マイコン１０は、局所的明度変化率の高い（色調の変化が大きい）局所（図９（ａ）のＡ、Ｂ、Ｃ）に対してスケーリング比率を所定の比率より大きくなるように変更し、局所的明度変化率の低い（色調の変化が小さい）局所（図９（ａ）のＤ・・・Ｎ）についてはスケーリング比率を所定の比率より小さくなるように変更する。
【００３１】
次にステップＳ３４で、マイコン１０は局所Ａ、Ｂ、Ｃ、Ｄ・・・Ｎごとに変更されたスケーリング変更比率をスケーリング部２４に伝達する。スケーリング部２４は、マイコン１０から伝達されたスケーリング変更比率に基づき、図１０に示すように、パネル３０の局所的明度変化率の高い（色調の変化が大きい）画像が表示される局所Ａ、Ｂ、Ｃにはスケーリングをかけずに等倍で表示し、局所的明度変化率の低い（色調の変化が小さい）画像が表示される局所Ｄ・・・Ｎのスケーリング比率を所定の比率より大きくすることによって、パネル３０に表示される画像の明度変化率の高い（色調の変化が大きい）局所Ａ、Ｂ、Ｃには補間による縦線２００がまったく表示されないので、視聴者にとって違和感のない画像の鑑賞が可能となる。なお、図１０において、補間による縦線２００が表示される局所Ｄ・・・Ｎについて、先に図５のフローチャートで説明したプロセスを再度適用して、局所Ｄ・・・Ｎのなかで局所的明度の最も低い（最も暗い）局所のスケーリング比率を最も大きくなるように変更し、局所的明度の最も高い（最も明るい）局所のスケーリング比率を最も小さくなるように変更することによって、視聴者にとってさらに違和感のない画像の鑑賞が可能となる。
【００３２】
ここまでのところでは、映像入力信号の画像解像度と表示装置の画像解像度とが近似している場合に、画像局所の明度や明度変化率に応じて画像局所ごとのスケーリング比率を変更することによって、従来はスケーリング時の等間隔補正の結果、パネル上の画像に等間隔に表示されていた縦線を、視聴者にとって目立たないようにするスケーリング処理を説明した。しかしながら、画像の動き量が大きい場合に、上記のスケーリング比率の変更を実施すると、当該スケーリング比率変更に際する画面上の変化が視聴者の目に見えやすくなり、却って違和感が生じてしまうことがある。
【００３３】
この問題を回避するプロセスを、以下、図１１に示すフローチャートにより説明する。ステップＳ４１は、前述の図２のフローチャートに示すステップＳ１１と同じプロセスなので、説明は省略する。なお、選局された映像入力信号の画像解像度は、１２８０×７６８であるものとする。ステップＳ４２において、マイコン１０は、記憶された当該映像入力信号の画像解像度（１２８０×７６８）と、既にマイコンのメモリ（図示せず）に記憶されている当該表示装置の画像解像度（１３６６×７６８）とを比較して、それらが近似しているか否かを判定する。
【００３４】
判定の結果、それらが近似していないと判定された場合には（ステップＳ４２のＮＯ）、ステップＳ４１に戻る。ここではスケーリング比率変更の処理が行われないので、スケーリング部２４は所定のスケーリング比率により等間隔補間を実行する。その結果、図３に示すようにパネル３０の画像には縦線が等間隔に表示される。また判定の結果、それらが近似していると判定された場合には（ステップＳ４２のＹＥＳ）、ステップＳ４３でマイコン１０がスケーリング比率の変更を要すると判定し、変更要の判定がマイコン１０から動き量検出部２３に伝達されると、動き量検出部２３は、映像入力信号に基づいて１フレーム間での差分を求めることにより画像の動き量を検出し、検出された当該画像の動き量をマイコン１０のメモリ（図示せず）に記憶する。
【００３５】
動き量検出部２３により検出された当該画像の動き量が所定の閾値を超えるときは、マイコン１０は画像の動き量が検出されたと判断し（ステップＳ４３のＹＥＳ）、ステップＳ４１に戻るので、この時点でのスケーリング比率の変更は行われず、前の状態のスケーリングが維持される。一方、動き量検出部２３により検出された当該画像の動き量が所定の閾値を超えないときは、マイコン１０は画像の動き量が検出されないと判断し（ステップＳ４３のＮＯ）、ステップＳ４４に進む。
【００３６】
ステップＳ４４では、図５のフローチャートのステップＳ２３における局所的明度の検出、もしくは図８のフローチャートのステップＳ３３における局所的明度変化率の検出のいずれかが行われる。以下、図５および図８のフロ−チャートで説明したとおりのプロセスを経て、ステップＳ４５において、スケーリング部２４は、マイコン１０から伝達されたスケーリング変更比率に基づきスケーリングを行うので、最終的に図７もしくは図１０に示すような、補間による縦線２００が目立つことのない、視聴者にとって違和感のない画像が表示装置のパネルに表示される。これにより、画像の動き量が大きい場合は、その時点でのスケーリング比率の変更は行われず、前の状態のスケーリングが維持されるので、スケーリング比率変更に際する画面上の変化が視聴者の目に違和感を与えるという問題を回避することができる。
【００３７】
以上、表示装置の水平画素（１３６６）の方が映像入力信号の水平画素（１２８０）よりも多い場合を前提にして、映像入力信号の画像解像度と表示装置の画像解像度とが近似している場合のスケーリング比率の変更について説明してきたので、これまでの実施例においては、すべてパネル３０に不足分の８６本の縦線２００を補間する形で説明がなされているが、逆に、表示装置の水平画素（１３６６）の方が映像入力信号の水平画素（１９２０）よりも少ない場合は、パネル３０から余剰分の５５４の水平画素を間引くことにより、これまでの実施例の説明と同じ効果が得られることを付言する。
【００３８】
以上、本発明の実施例について詳述したが、本発明は上述の実施例に限定されるものではなく、本発明の要旨の範囲内で種々の変形実施が可能である。
【図面の簡単な説明】
【００３９】
【図１】本発明による表示装置の一構成例における主要部を示すブロック図である。
【図２】本発明の実施例を示す、画像中央部での縦線を目立たないようにしたスケーリング処理のプロセスを説明するフローチャートである。
【図３】本発明の実施例による表示装置のパネルにおいて、所定のスケーリング処理により等間隔補間による縦線が表示された画像を示す図である。
【図４】本発明の実施例による表示装置のパネルにおいて、中央部での縦線を目立たないようにスケーリング処理した画像を示す図である。
【図５】本発明の実施例を示す、画像の明度の高い局所での縦線を目立たないようにしたスケーリング処理のプロセスを説明するフローチャートである。
【図６】本発明の実施例によるパネルの画面分割での明度検出を説明する図である。
【図７】本発明の実施例による表示装置のパネルにおいて、明度の高い局所での縦線を目立たないようにスケーリング処理した画像を示す図である。
【図８】本発明の実施例を示す、画像の明度変化率の高い局所での縦線を目立たないようにしたスケーリング処理のプロセスを説明するフローチャートである。
【図９】本発明の実施例による画面分割での明度変化率の検出を説明するパネル全体図（ａ）およびパネルの部分拡大図（ｂ）である。
【図１０】本発明の実施例による表示装置のパネルにおいて、明度変化率の高い局所での縦線を目立たないようにスケーリング処理した画像をを示す図である。
【図１１】本発明の実施例を示す、画像の動き量が大きい場合、スケーリング比率の変更を行なわずに、前の状態を維持するスケーリング処理のプロセスを説明するフローチャートである。
【図１２】従来の表示装置のパネルにおける等間隔補間による縦線を示す図である。
【符号の説明】
【００４０】
１    表示装置
１０  マイコン
２０  スケーリング処理部
２１  信号フォーマット検出部
２２  明るさ検出部
２３  動き量検出部
２４  スケーリング部
３０  パネル
３１  パネル３０の中央部
３２  パネル３０の端部
３３  パネル３０を分割したブロック
２００  縦線
【図１】
2008070600.tif 000003
【図２】
2008070600.tif 000004
【図３】
2008070600.tif 000005
【図４】
2008070600.tif 000006
【図５】
2008070600.tif 000007
【図６】
2008070600.tif 000008
【図７】
2008070600.tif 000009
【図８】
2008070600.tif 000010
【図９】
2008070600.tif 000011
【図１０】
2008070600.tif 000012
【図１１】
2008070600.tif 000013
【図１２】
2008070600.tif 000014